(57)【要約】【課題】前当部におけるシートの跳ね返りを抑制してシートの位置決めを適正に行い得る給紙装置を提供すること。【解決手段】この給紙装置２は、シートＳを搬送するフィーダ２２と、シートＳを位置決めする前当部２３とを備えている。また、給紙装置２は、フィーダ２２により搬送されたシートＳを前当部２３に当ててシートＳを位置決めする。また、給紙装置２は、シートＳの搬送方向に対して前当部２３よりも上流側かつシートＳの鉛直方向下面に接触する位置に配置されると共に、前当部２３にて跳ね返ったシートＳに対して接触抵抗を有する接触抵抗部２５を有している。【選択図】        図１
2010100402.tif 000002
【特許請求の範囲】
【請求項１】
シートを搬送するフィーダと、シートを位置決めする前当部とを備え、且つ、前記フィーダにより搬送されたシートを前記前当部に当ててシートを位置決めする給紙装置であって、
シートの搬送方向に対して前記前当部よりも上流側かつシートの鉛直方向下面に接触する位置に配置されると共に前記前当部にて跳ね返ったシートに対して接触抵抗を有する接触抵抗部を有することを特徴とする給紙装置。
【請求項２】
前記接触抵抗部が繊維方向を前記前当部側に傾斜させた絨毯状部材により構成される請求項１に記載の給紙装置。
【請求項３】
前記接触抵抗部がシートの搬送経路上であって前記フィーダと前記前当部との間に配置される請求項１または２に記載の給紙装置。
【請求項４】
前記接触抵抗部が前記フィーダ上に配置される請求項１〜３のいずれか一つに記載の給紙装置。
【請求項５】
シートの浮き上がりを防止する浮上防止部が前記前当部の近傍に配置される請求項１〜４のいずれか一つに記載の給紙装置。
【発明の詳細な説明】
【技術分野】
【０００１】
この発明は、給紙装置に関し、さらに詳しくは、前当部におけるシートの跳ね返りを抑制してシートの位置決めを適正に行い得る給紙装置に関する。
【背景技術】
【０００２】
近年の給紙装置は、シートを載せて搬送するフィーダと、シートを位置決めする前当部とを備えており、フィーダにより搬送されたシートを前当部に当ててシートの位置決めを行っている。かかる構成を採用する従来の給紙装置として、特許文献１に記載される技術が知られている。
【０００３】
【特許文献１】特開２００３−２０６０５７号公報
【発明の開示】
【発明が解決しようとする課題】
【０００４】
しかしながら、従来の給紙装置では、フィーダにより搬送されたシートが前当部に当たって跳ね返り、シートの位置決めが適正に行われない場合がある。すると、印刷部へのシートの給紙タイミングがずれて、印刷不良や給紙不良が発生するおそれがある。
【０００５】
そこで、この発明は、上記に鑑みてされたものであって、前当部におけるシートの跳ね返りを抑制してシートの位置決めを適正に行い得る給紙装置を提供することを目的とする。
【課題を解決するための手段】
【０００６】
上記目的を達成するため、この発明にかかる給紙装置は、シートを搬送するフィーダと、シートを位置決めする前当部とを備え、且つ、前記フィーダにより搬送されたシートを前記前当部に当ててシートを位置決めする給紙装置であって、シートの搬送方向に対して前記前当部よりも上流側かつシートの鉛直方向下面に接触する位置に配置されると共に前記前当部にて跳ね返ったシートに対して接触抵抗を有する接触抵抗部を有することを特徴とする。
【０００７】
この給紙装置は、フィーダから搬送されたシートが前当部に当たって位置決めされるときに、接触抵抗部がシートに接触する。すると、接触抵抗部との接触抵抗により、前当部からのシートの跳ね返りが抑制される。これにより、前当部によるシートの位置決めが適正に行われるので、印刷不良や給紙不良が抑制される利点がある。また、かかる構成では、接触抵抗部がシートの鉛直方向下面に接触するので、シートの自重によりシートと接触抵抗部との接触が適正に確保される。したがって、接触抵抗部がシートの鉛直方向上面から接触する構成と比較して、接触抵抗部をシートに接触させるための押圧力が不要となる。これにより、装置構成が簡素化されると共にシートの進行に対する接触抵抗部の影響が低減される利点がある。
【０００８】
また、この発明にかかる給紙装置は、前記接触抵抗部が繊維方向を前記前当部側に傾斜させた絨毯状部材により構成される。
【０００９】
この給紙装置では、接触抵抗部の抵抗が前当部側に向かって作用するので、シートが前当部に当たった後は接触抵抗部の抵抗によってシートの跳ね返りが抑制され、逆に、シートがフィーダから前当部に向かうときはシートの進行が接触抵抗部によって阻害されない。したがって、シートの搬送を妨げることなく、前当部におけるシートの跳ね返りが効果的に抑制される利点がある。
【００１０】
また、この発明にかかる給紙装置は、前記接触抵抗部がシートの搬送経路上であって前記フィーダと前記前当部との間に配置される。
【００１１】
この給紙装置では、接触抵抗部が前当部の近傍に配置されるので、前当部におけるシートの跳ね返りが効果的に抑制される利点がある。
【００１２】
また、この発明にかかる給紙装置は、前記接触抵抗部が前記フィーダ上に配置される。
【００１３】
この給紙装置では、接触抵抗部がフィーダ上に配置されるので、前当部におけるシートの跳ね返りが効果的に抑制される利点がある。
【００１４】
また、この発明にかかる給紙装置は、シートの浮き上がりを防止する浮上防止部が前記前当部の近傍に配置される。
【００１５】
この給紙装置では、前当部の近傍におけるシートの浮き上がりが防止されるので、シートと接触抵抗部との接触が適正に確保される。これにより、前当部におけるシートの跳ね返りが効果的に抑制される利点がある。
【発明の効果】
【００１６】
この発明にかかる給紙装置は、フィーダから搬送されたシートが前当部に当たって位置決めされるときに、接触抵抗部がシートに接触する。すると、接触抵抗部との接触抵抗により、前当部からのシートの跳ね返りが抑制される。これにより、前当部によるシートの位置決めが適正に行われるので、印刷不良や給紙不良が抑制される利点がある。また、かかる構成では、接触抵抗部がシートの鉛直方向下面に接触するので、シートの自重によりシートと接触抵抗部との接触が適正に確保される。したがって、接触抵抗部がシートの鉛直方向上面から接触する構成と比較して、接触抵抗部をシートに接触させるための押圧力が不要となる。これにより、装置構成が簡素化されると共にシートの進行に対する接触抵抗部の影響が低減される利点がある。
【発明を実施するための最良の形態】
【００１７】
以下、この発明につき図面を参照しつつ詳細に説明する。なお、この実施例によりこの発明が限定されるものではない。また、この実施例の構成要素には、発明の同一性を維持しつつ置換可能かつ置換自明なものが含まれる。また、この実施例に記載された複数の変形例は、当業者自明の範囲内にて任意に組み合わせが可能である。
【実施例】
【００１８】
図１は、この発明の実施例にかかる給紙装置を示す構成図である。図２および図３は、図１に記載した給紙装置の接触抵抗部を示す説明図である。図４〜図６は、図１に記載した給紙装置の変形例を示す説明図である。図７は、一般的な印刷機を示す構成図である。
【００１９】
［印刷機］
この給紙装置２は、例えば、枚葉印刷機に適用される（図７参照）。この印刷機１は、給紙装置２と、印刷装置３と、排紙装置４とを有する。この印刷機１では、まず、シートＳが給紙装置２から印刷装置３に供給する。次に、このシートＳに対して印刷装置３の各印刷ユニット３１〜３４により多色印刷が施される。次に、このシートＳが排紙装置４に送られて搬出される。これにより、シートＳへの印刷が行われる。
【００２０】
［給紙装置］
給紙装置２は、セパレータ２１と、フィーダ２２と、前当部２３とを有する（図１参照）。セパレータ２１は、給紙パイル２４内のシートＳをフィーダ２２に供給する。フィーダ２２は、シートＳを吸着できる搬送ベルト２２１を有し、この搬送ベルト２２１上にシートＳを載せて搬送する（図２参照）。また、搬送ベルト２２１は、セパレータ２１側から前当部２３側に向かって下り方向に傾斜している。前当部２３は、シートＳを位置決めする部材（ストッパー）であり、シートＳの搬送方向に対してフィーダ２２の下流側に配置される。
【００２１】
この給紙装置２では、まず、給紙パイル２４内のシートＳがセパレータ２１により取り出されて１枚ずつフィーダ２２に供給される。次に、これらのシートＳがフィーダ２２の搬送ベルト２２１上に載せられて搬送され、前当部２３に当たって位置決めされる。そして、シートＳが印刷ユニット３１の給紙胴３１１の爪（図示省略）にくわえられて印刷ユニット３１内に取り込まれる。
【００２２】
［給紙装置の接触抵抗部］
また、この給紙装置２は、接触抵抗部２５を有する（図１〜図３参照）。接触抵抗部２５は、前当部２３にて跳ね返ったシートＳに対して接触抵抗を有する部材であり、シートＳの搬送方向に対して前当部２３よりも上流側に配置される。また、接触抵抗部２５は、シートＳが前当部２３に当接した状態にてシートＳの鉛直方向下面に接触するように配置される。
【００２３】
かかる構成では、フィーダ２２から搬送されたシートＳが前当部２３に当たって位置決めされるときに、接触抵抗部２５がシートＳに接触する（図１および図３参照）。すると、接触抵抗部２５との接触抵抗により、前当部２３からのシートＳの跳ね返りが抑制される。これにより、前当部２３によるシートＳの位置決めが適正に行われるので、印刷不良や給紙不良が抑制される利点がある。また、かかる構成では、接触抵抗部２５がシートＳの鉛直方向下面に接触するので、シートＳの自重によりシートＳと接触抵抗部２５との接触が適正に確保される。したがって、接触抵抗部がシートＳの鉛直方向上面から接触する構成と比較して、接触抵抗部をシートＳに接触させるための押圧力が不要となる。これにより、装置構成が簡素化されると共にシートＳの進行に対する接触抵抗部の影響が低減される利点がある。
【００２４】
例えば、この実施例では、接触抵抗部２５が繊維方向を前当部２３側に傾斜させた絨毯状部材により構成されている（図３参照）。具体的には、接触抵抗部２５が植毛シートを貼り付けた板状部材から成り、その植毛シート側の面をシートＳの鉛直方向下面側に向けて配置されている。また、その植毛シートが繊維方向を前当部２３側（シートＳの搬送方向に対して逆側）に傾斜させている。また、植毛シートは、例えば、レーヨン繊維、ナイロン繊維などの繊維材により構成されている。かかる構成では、接触抵抗部２５の抵抗が前当部２３側に向かって作用するので、シートＳが前当部２３に当たった後は接触抵抗部２５の抵抗によってシートＳの跳ね返りが抑制され、逆に、シートＳがフィーダ２２から前当部２３に向かうときはシートＳの進行が接触抵抗部２５によって阻害されない。したがって、シートＳの搬送を妨げることなく、前当部２３におけるシートＳの跳ね返りが効果的に抑制される利点がある。
【００２５】
なお、上記に限らず、シートＳの搬送方向かつ鉛直方向の断面視にて、接触抵抗部２５が複数の突起部を配列して成る形状を有し、その突起部の頂点を前当部２３側に向けて配置されても良い（図４参照）。例えば、図４に示す例では、接触抵抗部２５が先端を丸めた鋸型の断面形状を有している。
【００２６】
また、この実施例では、接触抵抗部２５がシートＳの搬送経路上であってフィーダ２２と前当部２３との間に配置されている（図２参照）。具体的には、フィーダ２２と前当部２３との間に板状部材が配置され、この板状部材の上面（シートＳの搬送経路側面）に接触抵抗部２５である植毛シートが貼り付けられている。かかる構成では、接触抵抗部２５が前当部２３の近傍に配置されるので、前当部２３におけるシートＳの跳ね返りが効果的に抑制される利点がある。
【００２７】
しかし、これに限らず、接触抵抗部２５がフィーダ２２上に配置されても良い（図５参照）。例えば、図５に示す例では、接触抵抗部２５がフィーダ２２上であって搬送ベルト２２１を除く領域に配置されている。さらに、接触抵抗部２５がフィーダ２２と前当部２３との間ならびにフィーダ２２上の双方に配置されても良い（図６参照）。これらの構成としても、前当部２３におけるシートＳの跳ね返りが効果的に抑制される利点がある。
【００２８】
また、この給紙装置２では、シートＳの浮き上がりを防止する浮上防止部２６が前当部２３の近傍に配置されることが好ましい（図１参照）。かかる構成では、前当部２３の近傍におけるシートＳの浮き上がりが防止されるので、シートＳと接触抵抗部２５との接触が適正に確保される。これにより、前当部２３におけるシートＳの跳ね返りが効果的に抑制される利点がある。
【００２９】
例えば、この実施例では、接触抵抗部２５がフィーダ２２と前当部２３との間であってシートＳの搬送経路に対して鉛直下方に配置されており、浮上防止部２６がこの接触抵抗部２５に対抗するようにシートＳの搬送経路に対して鉛直上方に配置されている（図１参照）。また、浮上防止部２６がヘラ状部材により構成されている。
【産業上の利用可能性】
【００３０】
以上のように、この発明にかかる給紙装置は、前当部におけるシートの跳ね返りを抑制してシートの位置決めを適正に行い得る点で有用である。
【図面の簡単な説明】
【００３１】
【図１】この発明の実施例にかかる給紙装置を示す構成図である。
【図２】図１に記載した給紙装置の接触抵抗部を示す説明図である。
【図３】図１に記載した給紙装置の接触抵抗部を示す説明図である。
【図４】図１に記載した給紙装置の変形例を示す説明図である。
【図５】図１に記載した給紙装置の変形例を示す説明図である。
【図６】図１に記載した給紙装置の変形例を示す説明図である。
【図７】一般的な印刷機を示す構成図である。
【符号の説明】
【００３２】
１     印刷機
２     給紙装置
３     印刷装置
３１〜３４    印刷ユニット
３１１ 給紙胴
４     排紙装置
２１   セパレータ
２２   フィーダ
２２１ 搬送ベルト
２３   前当部
２４   給紙パイル
２５   接触抵抗部
２６   浮上防止部
【図１】
2010100402.tif 000003
【図２】
2010100402.tif 000004
【図３】
2010100402.tif 000005
【図４】
2010100402.tif 000006
【図５】
2010100402.tif 000007
【図６】
2010100402.tif 000008
【図７】
2010100402.tif 000009